(57)【特許請求の範囲】
【請求項１】
順次配列される少なくとも２枚以上の光学シートと、
前記少なくとも２枚以上の光学シートの上部に配置されるＬＣＤピクセルと、
を含み、
前記２枚以上の光学シートのうち少なくとも１枚は、
フィルムタイプのベース基材と、前記ベース基材上に形成される複数のレンズからなるレンズパターンを具備し、前記レンズパターンのＳａｇ（高さ／レンズ直径）が０．１〜０．３の範囲を満たし、
前記レンズパターンは各々のレンズを囲む周辺レンズの中心を連結したラインが正六角形になるように配列したパターンであり、前記レンズの底面は円形であり、前記複数のレンズ間の離隔距離は前記レンズの底面直径の５％以上１５％以下であり、
前記レンズパターン各々の中心を一直線に連結するラインのうち少なくとも一つと前記ベース基材上部に形成される前記ＬＣＤピクセルの横軸となす角が５．５°以上９．５°以下の範囲を満たす光学ユニット。
【請求項２】
前記レンズパターンは、前記複数のレンズパターン各々の間に離隔距離を隔てて配置され、サイズが同じであるか又は異なる複数のレンズを含み、前記複数のレンズは前記ベース基材上に均一に分布される請求項１に記載の光学ユニット。
【請求項３】
前記各々の光学シートのレンズパターンは、
隣接した各々のレンズ間の空間に陰刻の曲率を有する屈曲部が形成される光学シートを少なくとも１枚以上含む請求項２に記載の光学ユニット。
【請求項４】
光源から出射する光を前方に誘導する光伝達層と、
前記光伝達層上部に配置される請求項１乃至３のうち何れか一項の光学ユニットを含む照明装置。
【請求項５】
前記光学ユニットは、
前記光学ユニットに入射される光の中で５０％以上の光がレンズパターン内で入射角の６５〜１１５°の範囲内に入射されるよう配置される請求項４に記載の照明装置。
【請求項６】
前記光学ユニットの上部又は下部には、少なくとも１以上の強化フィルムを更に含めて構成される請求項４に記載の照明装置。
【請求項７】
前記強化フィルムは、
透明、半透明、屈折性、回折性、拡散性、輝度強化の特徴のうち少なくとも一つ以上の特性を具備する請求項６に記載の照明装置。
【発明の詳細な説明】
【技術分野】
【０００１】
本発明は、照明装置用の光学用シートに関する。
【背景技術】
【０００２】
現在の多様な照明装置を必要とするデバイスの構造においてもっとも必須的な要素は低電力でエネルギー効率を高めることができるのか、スリム化の具現が可能であるのか、環境にやさしいのかなどに関する。
【０００３】
このような要素は、基本的に照明を必要とする建物、車両、街灯などの多様な照明装備や、ディスプレー（ＬＣＤ）においてバックライト光源として使用される照明装置でも主に考慮されている。
【０００４】
特に、液晶表示装置において必要とするバックライト光源の場合には最近ＣＣＦＬの照明からＬＥＤの照明への代替が行っており、生産コストの低減を具現しつつ高輝度の照明を具現するためには基本的に光源の数を減らす代わりに透過度や光学シートを用いた補完の工夫が続けられている。
【０００５】
しかし、このような傾向を具現するために使用される光学シートの場合には高輝度の特性を要求し、製造コストが上昇すると同時に多数の光学シードの使用することによって信頼性に弱いという構造を持つ問題をもたらす。
【０００６】
特に、今まで使用されてきた多様な光学シートの場合、光を収容する過程において、全反射によって光の損失が起こり、これは光学シートの数を増やすほど更に激しくなる。
【０００７】
図１は、従来の光学シートに具現される光学パターンの場合の全反射現象を説明する概念図である。
【０００８】
入射される光Ｌ１は光学シートの表面に形成されるレンズパターンＬ２に進入されることになり、図示されるような光経路を通じて全反射が起こることになり、全反射された光は外部へ流出Ｌ３されることになって光損失が発生する。
【発明の概要】
【発明が解決しようとする課題】
【０００９】
本発明は、上述した課題を解決するために案出されたものであって、本発明の目的はベース基材上に形成されたレンズパターンのＳＡＧを調節して全反射を最小化する光学シートを具現し、これにより高輝度の照明装置を具現することができる光学シート及び光学ユニットを提供することにある。
【課題を解決するための手段】
【００１０】
上述の課題を解決するための手段として本発明は、ベース基材上に形成される多数のレンズパターンを具備し、前記レンズパターンのＳａｇ（高さＨ／レンズ直径Ｒ）が０．１〜０．３の光学シートを提供することができるようにする。
【００１１】
特に、この場合上述した前記レンズパターンは、サイズが同じであるか又は多数のレンズが均一又は不均一に分布されるように具現することができる。
【００１２】
なお、前記レンズの構造は、円形、楕円、プリズム、レンチキュラー（ｌｅｎｔｉｃｕｌａｒ）、Ｒ−プリズムのうち何れか一つの形状を具備して形成することができる。
【００１３】
また、上述した本発明による光学シートに具現される前記レンズのサイズは、直径が１μｍ〜５００μｍの範囲に具現することができる。
【００１４】
また、本発明の他の具現例として、ベース基材上に形成される前記レンズパターンは、隣接する各々のレンズ間の空間に陰刻の曲率を有する屈曲部が形成されるように具現することができる。
【００１５】
この場合、前記屈曲部は隣接のレンズの外角からａ（長軸）とｂ（短軸）の長さが０．１μｍ〜１０００μｍを満たす球面又は非球面の陰刻曲率が形成されるように具現することもできる。
【００１６】
また、本発明による光学シートは、前記レンズパターンの各々の中心を一直線に連結したラインのうち少なくとも一つと前記ベース基材上部に形成されたＬＣＤピクセルの横軸となす角が５．５°以上９．５°以下に形成することができる。
【００１７】
この場合、前記複数のレンズパターン間の離隔距離は、前記レンズパターンの直径の５％以上１５％以下に形成することができる。この場合、前記レンズパターンは直径が５μｍ以上２５μｍ以下の同じサイズの複数のレンズパターンを含む光学シートで具現することができる。
【００１８】
なお、本発明による前記複数のレンズパターンが形成された面積は、前記ベース基材面積の７０％以上９５％以下に形成することができる。
【００１９】
本発明は、ベース基材上に形成される多数のレンズパターンのＳａｇ（高さ／レンズ直径）が０．１〜０.３の光学用シートを少なくとも１以上含めて具備される光学ユニットに具現することも可能である。
【００２０】
このような前記光学ユニットは、多数の光学シートの配置構造において最上位に配置される光学用シートのレンズ直径が１μｍ〜３０μｍに形成することがより好ましい。
【００２１】
なお、前記レンズパターンは、サイズが同じであるか、又は他の多数のレンズが均一又は不均一に分布されるように具現することができ、前記レンズの構造は、円形、楕円、プリズム、レンチキュラー、Ｒ−プリズムのうち何れか一つの形状を具備することができることは上述したとおりである。
【００２２】
なお、本発明による光学ユニットを構成する前記の各々の光学シートのレンズパターンは、隣接の各々のレンズ間の空間に陰刻の曲率を有する屈曲部が形成される光学用シートを少なくとも１枚以上含めるように具現することができる。
【００２３】
上述した本発明による光学シートまたは光学ユニットは、光源から出射する光を前方に誘導する光伝達層を含む照明装置に適用されることができる。
【００２４】
この場合、前記光伝達層を通過する光学シート又は光学ユニットは、入射される光の５０％以上がレンズパターン内で入射角の６５〜１１５°の範囲内に存在するようにすることができる。
【００２５】
さらに、本発明による照明装置には、前記光学シート又は光学ユニットの上部又は下部には、少なくとも１以上の強化フィルムを更に含めて構成されてもよく、前記強化フィルムは透明、半透明、屈折性、回折性、拡散性、輝度強化の特徴のうち少なくとも一つ以上の特性を具備することを用いることができる。
【発明の効果】
【００２６】
本発明によると、ベース基材上に形成されたレンズパターンのＳａｇを調節して全反射を最小化する光学シートを具現し、これにより高輝度の照明装置を具現することができるという効果がある。
【００２７】
特に、本発明による光学シート又は光学ユニットは、全反射の最小化と同時に高輝度を具現する特性で照明の数を減らすことができ、信頼性を強化することができるという効果もある。
【図面の簡単な説明】
【００２８】
【図１】従来の光学シートに具現される光学パターンの場合、全反射現象を説明する概念図である。
【図２】本発明による光学シートの表面のレンズパターンを示す概念図である。
【図３】本発明による光学シートのレンズのＳａｇ別の輝度変化の実験結果を示す図である。
【図４】本発明による光学シートの他の具現例を示す図である。
【図５】本発明の好ましい一実施例による光学シートの一具現例としての外観斜視図である。
【図６】本発明の好ましい一実施形態によって２５μｍ以下の直径を有する規則的なレンズパターンに対する多様な系列のＬＣＤピクセルによるモアレ現象を示すグラフである。
【図７】本発明の好ましい一実施形態によって２５μｍ以下の直径を有する規則的なレンズパターンが従来の不規則なレンズパターンに対して向上された輝度を示すグラフである。
【図８】本発明の好ましい一実施形態によってＬＣＤピクセルに対して傾斜を有するレンズパターンの周期を示す平面図である。
【図９】本発明の好ましい一実施形態によってレンズパターン間の離隔距離を一定に維持された光学シートの平面図である。
【図１０】本発明による光学シートを適用した照明装置の一例を示す図である。
【図１１】本発明による光学シートを適用した照明装置の一例を示す図である。
【発明を実施するための形態】
【００２９】
本発明は、多様な照明装置に使用される光学シートの表面に形成されるレンズパターンの制御を介して光源から入射される光の全反射を最小化して輝度を向上させることができる光学シートを提供することを要旨とする。
【００３０】
そのため、本発明は、ベース基材上に形成される多数のレンズパターンを具備し、前記レンズパターンのＳａｇ（高さＨ／レンズ直径Ｒ）が０．１〜０．３の光学シートを提供することができるようにする。
【００３１】
以下では、添付の図面を参照して本発明による構成及び作用を具体的に説明する。添付の図面を参照して説明することにおいて、符号にかかわらず同じ構成要素は同じ符号をつけ、これに対する重複説明は略する。第１、第２などの用語は、多用な構成要素を説明することに使用され得るが、前記の構成要素は前記用語により限定されてはならない。前記用語は一つの構成要素を他の構成要素から区別する目的にだけ使用される。
【００３２】
図２は、本発明による光学シートの表面のレンズパターンを示す概念図である。
【００３３】
（ａ）はレンズ形状が非球形のレンズの断面を示す図であり、（ｂ）はプリズム形レンズの断面、（ｃ）は半球形のレンズの断面を示す図である。勿論、レンズの形状がここで限定されることではない。
【００３４】
１．第１実施例‐光学シート又は光学ユニット
【００３５】
本発明による光学シートは、ベース基材１０上に形成される多数のレンズパターン２０を具備し、前記レンズパターンのＳＡＧ（高さＨ／レンズ直径Ｒ）が０．１〜０．３を満たすように具現されることを特徴とする。
【００３６】
ここで、レンズとは、界面が部分球面形状のレンズ、つまり、半球状の凸レンズ、半球状の凹レンズを含め、後述するレンチキュラー、プリズムの立体形状を含む概念である。また、高さＨとは、膨らんだパターンで具現される場合のレンズの底面から最上部の高さまでの垂直距離を意味し、窪んだパターンの場合のレンズの開口面から最低部までの垂直距離を意味する。レンズ直径Ｒとは、レンズの底面又は開口面の水平直径を意味する。
【００３７】
前記ベース基材１０は、光透過性を確保できる材質を用いることができ、その表面には多数のレンズパターン２０を具備して優れは集光、法線方向からの屈折、拡散などの機能を行うことができるようになる。そのため、ベース基材の表面に形成されるレンズパターン２０はベース基材そのものを加工してレンズパターンを形成するか、又は別のレンズパターンを加工してベース基材上に配置する方式で具現することが可能である。
【００３８】
具体的には、前記基材層１０は光線を透過させる必要があるから、特別に、無色透明の合成樹脂で形成されることができる。このようなベース基材に使用される合成樹脂としては、特に限定されることはないが、例えば、ポリエチレンテレフタレート（ｐｏｌｙｅｔｈｙｌｅｎｅ  ｔｅｒｅｐｈｔｈａｌａｔｅ）、ポリエチレンナフタレート（ｐｏｌｙｅｔｈｙｌｅｎｅ  ｎａｐｈｔｈａｌａｔｅ）、アクリル樹脂、ポリカーボネート（ｐｏｌｙｃａｒｂｏｎａｔｅ）、ポリスチレン（ｐｏｌｙｓｔｙｒｅｎｅ）、ポリオレフィン（ｐｏｌｙｏｌｅｆｉｎ）、セルロースアセテート（ｃｅｌｌｕｌｏｓｅ  ａｃｅｔａｔｅ）、耐候性塩化ビニル、活性エネルギー（Ｅｎｅｒｇｙ）線硬化型樹脂などが挙げられる。特に、この中からレンズパターンの成形性に優れた紫外線硬化型樹脂、電子線硬化型樹脂などの活性エネルギー（Ｅｎｅｒｇｙ）線硬化型樹脂や、透明性及び強度が優れたポリエチレンテレフタレート（ｐｏｌｙｅｔｈｙｌｅｎｅ  ｔｅｒｅｐｈｔｈａｌａｔｅ）を使用することができる。なお、ポリエチレンテレフタレートフィルム（ｐｏｌｙｅｔｈｙｌｅｎｅ  ｔｅｒｅｐｈｔｈａｌａｔｅ  ｆｉｌｍ）、ポリエチレンナフタレートフィルム（ｐｏｌｙｅｔｈｙｌｅｎｅ  ｎａｐｈｔｈａｌａｔｅ  ｆｉｌｍ）又はポリカーボネートフィルム（ｐｏｌｙｃａｒｂｏｎａｔｅ  ｆｉｌｍ）を用い、その上に紫外線硬化性樹脂などでマイクロレンズ（ｍｉｃｒｏ  ｌｅｎｓ）を形成することもある。
【００３９】
特に、本発明による前記ベース基材１０の上面に形成されるレンズパターン２０は、その各々のパターンの断面状が特にここで限定されることではないが、好ましくは円形、楕円、プリズム、レンチキュラー、Ｒ−プリズムのうち何れか一つの形状に具現することができる。更に、前記ベース基材１０の上面に配置されるレンズパターンを形成するレンズ各々はサイズが同じであるか、又は異なる多数のレンズが均一又は不均一（Ｒａｎｄｏｍ）に分布されることができる。即ち、レンズのサイズを同じであるか、又は相互違うように製作することができ、さらに、前記ベース基材の表面に配置されるレンズの配置パターンを同じ形状の多角形の格子パターンに形成することができる。多角形の格子パターンとは、マイクロレンズの水平断面の模様が三角形、四角形などの格子パターンを具備することを意味する。各のパターンを構成することにおいてお互い違った形状であってもよく、又は同じ形状と異なる形状の組み合わせからなるように構成してもよい。
【００４０】
本発明において、特徴的な要素は上述したように、このレンズの規格を前記レンズパターンのＳＡＧ（高さＨ／レンズ直径Ｒ）が０．１〜０．３の範囲を満たすように具現して、光学シートを透過する光の全反射を最小化することにある。特に、上述したレンズ１０のサイズは直径が１μｍ〜５００μｍの範囲で具現されることができる。
【００４１】
特に、上述の光学シートを少なくとも２枚以上に積層してもよく、又は、離隔配置して構成される光学ユニットで構成してもよく、この場合、従来の光学シートが積層されて光の損失をもたらす問題を最小化するために最上部に配置される光学シートの場合にはレンズのサイズを１μｍ〜３０μｍの範囲で形成することでモアレ（ｍｏｉｒｅ）現象を最小化することができる。
【００４２】
また、図２の（ｄ）の図示は、本発明によるレンズ２０を透過する光の画像を概念化したものであって、全反射率を最小化しつつ、ベース基材１０に入射した光Ｌが入射する方向の法線方向に基づいて±２５°の経路変化範囲、つまり、入射する光が６５〜１１５°の範囲に存在することが好ましい。より好ましくは、本発明による光学シートに入射される光の５０％以上がレンズパターン内で入射角の６５〜１１５°の範囲内に存在するように形成されることが好ましい。
【００４３】
図３は、本発明による光学シートのレンズのＳａｇ別の輝度変化の実験結果を示す図である。
【００４４】
図示を参照すると、本発明による光学シート又は光学ユニットに光を透過させる場合、全反射を最小化して高い輝度特性を具現するＳａｇ区間Ｘは、０．１〜０．３の範囲を満たすことがわかる。即ち、ベース基材上に形成されるレンズパターンの配列を介して全反射を最小化して高輝度を具現できる効果を具現することができるようになる。
【００４５】
２．第２実施例
【００４６】
図４は、本発明による光学シートの他の具現例を示す図である。
【００４７】
図示のように、ベース基材１０上にレンズパターン２０、３０を多数具現することは、図２で上述した実施例と同じであるが、ここでは隣のレンズの間（レンズ間の距離）に窪んだパターンの屈曲部を形成する点から相違である。ここで、レンズ間の距離とは、多様な膨らんだパターンの配列から並んでいる一対のレンズ間の最短距離を意味する。
【００４８】
図示のように、ベース基材１０上に形成されたレンズパターン２０、３０を考慮する場合、図４の（ａ）及び（ｂ）に示すように、レンズ間の底面は、屈曲が形成されない平らな構造であり、この構造の光学シートをＬＣＤなどのデバイスに適用する際に出射される光が比較的直線に前記底面を通過することになって出射光が不均一（輝線）に示すことになる。このような出射光の均一度を向上させるために、光学シートを使用し、従来には２枚以上の光学シートを使用して光均一度を確保したが、本発明によると光学シートはレンズのＳａｇを調節して輝度を確保する一方、各レンズ間の空間に陰刻の屈曲部を具備した光学シートを活用して１枚の光学シートであっても従来の多数の光学シートを使用して具現する光均一度を確保できるという長所を持つようになる。
【００４９】
具体的には、連接のレンズ２０、３０間の空間を仮想の垂直方向の長軸「ａ」と仮想の水平方向の短軸「ｂ」を有する仮想の楕円が接するように形成される場合、各レンズに接するレンズの第１接点Ｔ１とレンズの第２接点Ｔ２、底部接点Ｔ３に接するようにし、前記レンズ２０と仮想の楕円、底部を除いた空間を充たすことで、レンズの第１接点とレンズの第２接点、底部接点を通過する陰刻の曲率を有する屈曲部４０を形成することができる。
【００５０】
また、上述した仮想の楕円は、長軸「ａ」と短軸「ｂ」の長さを調節することによって球面形状になり得るし、この長軸と短軸の長さは０．１μｍ〜１０００μｍの範囲で調節されることが好ましい。これは上述した数値を外す場合には実際的にレンズが有すべきの輝度を満足しづらく、これによるＨａｚｅも満足させにくいためである。
【００５１】
図４の（ｃ）は、本発明による光学シートの要部断面図であって、楕円は長軸「ａ」と短軸「ｂ」の長さを調節することで球面形状の仮想球面を形成し、レンズの第１接点とレンズの第２接点、底部接点を通過する陰刻の曲率を有する屈曲部４０を形成することになる。このように隣接するレンズ間の形成された陰刻の曲率は陽刻に形成されたレンズの集光する特性とは逆に光を拡散する効果がある。よって、光の拡散分散、光均一度の増進の効果があるところ、既存の多数のフィルムで果たした役割を１枚の光学シートでも具現することができるようになる。
【００５２】
勿論、陰刻の屈曲部を形成する一つの一例として、上の形成実施例を示したが、これと違って、隣のレンズ間の空間を突出パターンを有するマスクを利用して加圧する方式で窪んだパターンを具現することも可能である。
【００５３】
３．第３実施例
【００５４】
図５は、本発明の好ましい一実施形態による光学シートの外観斜視図である。
【００５５】
本第３実施例においても、上述の実施例と同様にレンズパターンのＳａｇ（高さＨ／レンズ直径Ｒ）が０．１〜０．３の範囲を満たす範囲内でレンズパターンの配列を介してモアレ現象を最小化できるように具現することができる。
【００５６】
本第３実施例における光学シート２００はベース基材２１０及びベース基材上に規則的に形成された同じサイズの複数のレンズパターン２２０を含む。
【００５７】
通常的に、レンズパターンを規則的に配列する場合、光学シート上部に形成されるＬＤＣピクセル（図示せず）と規則パターン形状の周期性のせいでモアレ現象が起こる。ここで、モアレ現象とは、光学シートを通じて拡散される光が光学シート上に規則的に形成されたパターンの周期性及びＬＣＤピクセルサイズに合わせて相殺、補強干渉により明暗が波模様にあらわす現象のことをいう。
【００５８】
しかし、本発明による規則的なパターン形状は、このようなモアレ現象を３つの方法で除去することができる。
【００５９】
第１実施例において記述したように、本発明による０．１〜０．３の範囲を満たす範囲内でレンズパターンの直径は１〜５００μｍの範囲内で形成されることが好ましく、より好ましくは以下のような規格を具備してモアレ回避効果を極大化することもできる。
【００６０】
第１方法は、図２に示したレンズパターン２２０のサイズを調節することである。より詳しくは、レンズパターン２２０の直径を２５μｍ以下にする。また、より好ましくは、レンズパターン２２０の直径を５μｍ以上２５μｍ以下にする。このレンズパターン２２０のサイズを調節することで改善されるモアレ現象を図６を介して確認できる。
【００６１】
図６は、本発明の好ましい一実施形態によって２５μｍ以下の直径を有する規則的なレンズパターンに対する多様な系列のＬＣＤピクセルによるモアレ現象を示したグラフである。ここで、縦軸は光の強度であり、横軸はレンズパターンの直径であって右側に行くほど増加する。
【００６２】
図６を参照すると、レンズパターンの直径２５μｍ以下にする場合、光の強度の変動幅が最大１５００．０以下になることがわかる。これは他のサイズの場合に対してモアレ現象が著しく改善されることをあらわす。
【００６３】
図７は、本発明の好ましい一実施形態によって２５μｍ以下の直径を有する規則的なレンズパターンが従来の不規則なレンズパターンに比べて向上した輝度を示すグラフである。
【００６４】
ここで、ライン２０は２５μｍ以下の直径を有する規則的なレンズパターンの輝度をあらわす。また、ライン１０は従来の不規則なレンズパターンの輝度をあらわす。また、横軸は視野角を示す。図７を参照すると、視野角が０°である場合、つまり、ＬＣＤ平面をすぐ上から見る場合、既存の規則的なパターンを有する光学シートに比べて約５％以上の輝度が向上されることがわかる。
【００６５】
モアレ現象を除去する第２の方法は、レンズパターンをＬＣＤピクセルとレンズの周期が外せるように配列することである。
【００６６】
図８は、本発明の好ましい一実施例によってＬＣＤピクセルに対して傾斜を有するレンズ形状のパターンの周期を示す。
【００６７】
本発明において、例えば、ＬＣＤピクセルとしてＩＰＳ類型のＬＣＤピクセル５１０を示したが、必ずしもこれに限定されることはない。ここで、ＩＰＳ類型のＬＣＤピクセル５１０の内部角度θは１４９°であることが好ましい。この場合、レンズパターン５３０各々の中心を一直線に連結したラインのうち少なくとも一つのライン４０（以下の基準ラインと称する）をＬＣＤピクセル５１０の横軸３０と７．５°±２°、つまり５．５°以上、９．５°以下に傾斜を与えることでモアレ形状を除去することができる。
【００６８】
ここで、基準ライン４０は図９に図示するように、規則的に配列されたレンズ形状のパターンが斜めならない場合、レンズパターンそれぞれの中心を横に連結したラインは光学シートの本体部の横軸と平行になる。この本大部の横軸は、光学シートの上部に形成されるＬＣＤピクセルの横軸と一般的に並行する。よって、レンズパターンの横ラインを本体部の横軸と傾斜を与えて配列すると、結果的に、本体部の横軸と平行したＬＣＤピクセル横軸と傾斜角が形成される。
【００６９】
また、レンズパターン５３０の充填率を高めるためには、図５に示すように、各々のレンズを中心に囲まれた周辺レンズの中心を連結したラインが正六角形になるように配列することがもっとも好ましい。この正六角形構造では、レンズパターン５３０が規則的に配列される周期の角度がレンズパターンの基準ライン４０を中心に０°、３０°、６０°、及び９０°になる。
【００７０】
モアレ現象を除去する第３の方法は、レンズパターンを各々の離隔距離を一定に維持することである。
【００７１】
図９は、本発明の好ましい一実施形態によってレンズパターン間の離隔距離を一定に維持された光学シートの平面図である。
【００７２】
図６を参照すると、レンズパターン間の離隔距離６１０はレンズパターンの直径を基に５％以上１５％以下であることが好ましい。この場合、モアレ現象の最も重要な原因であるレンズパターンの周期性を変更してもよい。
【００７３】
また、上述のモアレ現象を除去するための３つの方法から、レンズパターンの充填率及びＳａｇを調節することで、従来の不規則的なパターンの光学シートにおいては不可能であった輝度及び拡散性の制御が可能である。
【００７４】
例えば、各々の方法によって充填率７０％以上９５％以下、つまり、レンズパターンが形成された面積が本体部面積の７０％以上９５％以下になるようにして輝度を向上させることができる。またレンズのＳａｇを０．３以上０．６以下、より好ましくは本発明のレンズパターンのＳａｇの範囲である０．１〜０．３に維持して輝度を向上させてもよく、充填率及びＳａｇ両方を同時に調節することで輝度を向上させてもよい。
【００７５】
４．第４実施例
【００７６】
図１０及び図１１は、本発明による光学シートを適用した照明装置の一例を示す図である。
【００７７】
本発明による光学シート又は２枚以上の配置構造を有する光学ユニットは、多様な照明装置に利用されえることは勿論のことである。例えば、車両、建物、公共での多様な照明装置、液晶表示装置において使用されるバックライトユニットなどに適用が可能である。
【００７８】
図示のように、照明装置は光を出射する光源１１０から出射する光を前方に誘導する光伝達層１２０を具備してもよく、以後前記光伝達層上部に配置される本発明による上述した多用な構造の光学シート１３０又は光学シートの多数の配置構造である光学ユニットを含めて構成されてもよい。
【００７９】
具体的に、前記光源１１０は、ＬＥＤ蛍光ランプ又は白熱ランプ、電界発光（ｅｌｅｃｔｒｏｌｕｍｉｎｅｓｃｅｎｔ  ｌｉｇｈｔ）、及びその他の類似な光源、さらにこれに制限されない何れの固体発光（ｓｏｌｉｄ  ｓｔａｔｅ  ｌｉｇｈｔｉｎｇ）源を含めるものを含む概念である。
【００８０】
即ち、光源１１０から出射される光を特定な方向に伝達する光伝達層１２０を具備し、光伝達層から反射、屈折、分散、回折などの現象を経て到達する光を受容して前方に光を伝達するように行う本発明による光学シート又は光学ユニットを含めて形成され得るし、前記光学シート又は光学ユニットの上部又は下部には少なくとも１以上の強化フィルムを更に含めて、透明、半透明、屈折性、回折性、拡散性、輝度強化の特徴のうちいずれか一つ以上の特性を具備するようにすることができる。
【００８１】
例えば、図示された図５及び図６の構造をバックライトユニットとすると、図５は印刷回路基板１上に配置される多数のＬＥＤ光源１１０を通じて光を出射し、光伝達層１２０は導光板の機能を具現する構造物であって、前記光伝達層１２０を通過した光は、本発明による光学シート１３０を介して全反射の最小化を介した輝度向上の効果を具現することができるようになる。勿論、ここに多様なプリズムシート、輝度強化フィルム（ＤＢＥＦ，ＢＥＦ，ＥＳＲ）などの強化フィルムＤ１、Ｄ２を更に含めて構成されてもよいことは勿論である。
【００８２】
また、図１０及び図１１の構造の他に光源と光伝達層、本発明による光学シートを含める照明装置を考慮する場合、前記光伝達層は透明であるか、半透明であるか、部分的に反射的であるか、屈折性であるか、発散性であるか、又は幾つの積層構造を介して光源から出射した光の一部を伝達する光伝達接着剤、ガラス又はエポキシなどの材料層から形成することができる。
【００８３】
例えば、建物の上部のドーム照明、グローブボックス照明、低部照明、地図照明、鏡照明、装飾照明、後方窓のブレーキ照明、車両の照明装置などその適用要素は非常に広範囲であるといえる。
【００８４】
上述したような本発明の詳しい説明においては、具体的な実施例に関して説明した。しかし、本発明の範囲から外さない限度内で多様な変形が可能である。本発明の技術的思想は本発明の記述の実施例に制限されて定めてはならなく、特許請求範囲のみならず、個の特許請求範囲と均等なことによって定めなければならない。
【符号の説明】
【００８５】
１０  ベース基材
２０  レンズパターン
３０  レンズパターン
４０  陰刻の屈曲部
１１０  光源
１２０  光伝達層
１３０  光学フィルム
Ｄ１  強化フィルム
Ｄ２  強化フィルム
【図１】
0006023057.tif 000002
【図２（ａ）】
0006023057.tif 000003
【図２（ｂ）】
0006023057.tif 000004
【図２（ｃ）】
0006023057.tif 000005
【図２（ｄ）】
0006023057.tif 000006
【図３】
0006023057.tif 000007
【図４】
0006023057.tif 000008
【図５】
0006023057.tif 000009
【図６】
0006023057.tif 000010
【図７】
0006023057.tif 000011
【図８】
0006023057.tif 000012
【図９】
0006023057.tif 000013
【図１０】
0006023057.tif 000014
【図１１】
0006023057.tif 000015